(57)【特許請求の範囲】
【請求項１】
発光部品と、前記発光部品の後方に反射部材と共に配置されて該発光部品の後方に位置する背面と、該背面の上端及び下端より前面側へ傾斜して延出する側板とを有す背面部材、及び前記発光部品の両端部を保持する側面部材とにより構成する外形部品と、前記外形部品の前面側に、光学シートと、映像を表示する液晶セルと、前記光学シートの上端部を前記背面部材の上側板縁と共に押える中間保持部材と、を主要構成部品として順次組み合わせて成る液晶表示パネルであって、前記液晶セルを駆動して映像を表示するための駆動回路基板は配線部材を介して前記液晶セルと接続し、前記背面部材の側板には前記駆動回路基板を載置して固定するための載置部を絞り加工により一体に成形すると共に前記駆動回路基板を固定する上側板側の縁に設けた溝穴には前記中間保持部材のフックを係止し、このフックと溝穴との隙間から背面側へ漏れる光を遮蔽する為の遮光板を中間保持部材に形成したことを特徴とする液晶表示パネル。
【請求項２】
前記駆動回路基板には複数の貫通孔を形成し、該貫通孔に嵌る凸部を前記載置部に形成した請求項１に記載の液晶表示パネル。
【請求項３】
前記傾斜した側板の先端部には、前記背面と略平行を成す載置部受けを有し、そして側面部材には載置部受けに載置する側面部材載置部を形成した請求項１又は請求項２に記載の液晶表示パネル。
【請求項４】
発光部品と、前記発光部品の後方に反射部材と共に配置する鉄製の背面部材、及び前記発光部品の両端部を保持する樹脂製の側面部材とにより構成する外形部品と、前記外形部品の前面側に、光学シートと、映像を表示する液晶セルと、を主要構成部品として順次組み合わせて成る液晶表示パネルであって、前記背面部材は発光部品の後方に位置する背面と、該背面の上端及び下端より前面側へ傾斜して延出する側板とを有し、前記傾斜した側板の先端部には、前記背面と略平行を成す載置部受けを有し、そして側面部材には載置部受けに載置する側面部材載置部を形成し、前記背面部材の下側板縁を光学シートの下端が挿嵌するように概略コ形断面とし、そして下側板縁の内辺より前記側面部材載置部の内辺を下側に位置させて段差を形成し、前記液晶セルを駆動して映像を表示するための駆動回路基板は配線部材を介して前記液晶セルと接続し、前記背面部材の側板には前記駆動回路基板を載置して固定するための載置部を絞り加工により一体に成形したことを特徴とする液晶表示パネル。
【請求項５】
前記側面部材は外形部品の内面となる内壁面と、前記外形部品の外面となる外壁面とを有し、前記側面部材の端部近傍において前記内壁面よりも外側へ延出した延出部を前記外壁面に設けた請求項１、請求項２、請求項３、又は請求項４記載の液晶表示パネル。
【請求項６】
前記発光部品は細長い略直線形状或いは略Ｕ字形状であって、該発光部品の端部には弾性緩衝部材を取着し、側面部材の内壁面と外壁面との間には該弾性緩衝部材を取着するための取着部と、前記外壁には弾性緩衝部材が突出可能な凹溝を形成し、側面部材に対し、弾性緩衝部材を取着した発光部品の端部を移動可能に取付けた請求項１、請求項２、請求項３、請求項４、又は請求項５記載の液晶表示パネル。
【請求項７】
前記発光部品は細長い略直線形状或いは略Ｕ字形状であって、該発光部品の端部には弾性緩衝部材を取着し、側面部材の内壁面と外壁面との間には該弾性緩衝部材よりも大きい幅を有する取着部を形成し、該取着部に対し、前記弾性緩衝部材を取着した発光部品の端部を移動可能に遊嵌した請求項１、請求項２、請求項３、請求項４、又は請求項５記載の液晶表示パネル。
【請求項８】
側面部材の凹溝を覆う保護片を背面部材の両端に一体形成し、前記背面部材と前記側面部材とを組付けたときに、前記保護片によって凹溝を閉塞した請求項６記載の液晶表示パネル。
【請求項９】
前記弾性緩衝部材には細長い発光部品の取着方向に直交して突片を形成し、該突片を側面部材の仕切りリブに設けた溝に遊嵌した請求項６、請求項７、又は請求項８記載の液晶表示パネル。
【請求項１０】
前記発光部品は２本が一対とする細長い略直線形状、若しくは一端部に屈曲部分を設けた略Ｕ字形状であって、該発光部品の端部には弾性緩衝部材を取着し、前記弾性緩衝部材を介して取着する側面部材には、前記発光部品の対同士間に背面部材との位置決め突起を形成すると共に、前記位置決め突起の両側には内壁面と外壁面とを連結する仕切りリブを形成し、対向する前記背面部材には前記位置決め突起が嵌る位置決め穴を形成した請求項１、請求項２、請求項３、請求項４、請求項５、請求項６、請求項７、請求項８、又は請求項９記載の液晶表示パネル。
【請求項１１】
前記背面部材に反射部材を重ね合わせた構造とし、反射部材の上側板を側端から一方側へ突出し、下側板を側端から反対側へ突出し、そして背面部材背板表面には反射部材背板の位置合わせ線を、上下側板の表面には反射部材の上下側板の位置合わせ線を夫々形成した請求項１、請求項２、請求項３、請求項４、請求項５、請求項６、請求項７、請求項８、請求項９、又は請求項１0
記載の液晶表示パネル。
【発明の詳細な説明】
【技術分野】
【０００１】
本発明は液晶表示装置の映像表示部分を担う液晶表示パネルに関し、より詳しくは、液晶表示パネルの光漏れ防止を図った構造に関するものである。
【背景技術】
【０００２】
液晶表示装置は、背面側筐体と前面側筐体とで構成する表示部分の内部に各種基板、スピーカ、及び液晶表示パネル等を組み込んで構成している。又、液晶表示パネルは、発光部品の上下、左右、及び背面を覆う外形部品と、前記発光部品の正面側に、発光部品が照射する光を拡散／集光する光学シートと、映像を表示する液晶セルとを順次取り付けた構造としている。尚、前記発光部品としては、略直線形状の発光部品や、或いは複数のＬＥＤを配置して構成したもの等が使用され、前記発光部品の端部近傍を外形部品にて保持する構造としている。
【０００３】
光学シートと液晶セルは、夫々縁部近傍を保持する保持部材を用いて外形部品に対して取り付けを行い、発光部品と液晶表示装置の筐体内部に組み込む回路基板と線材を介して接続することによって電源の供給手段としている。又、液晶セルは別途駆動回路基板とフレキシブルプリント配線板を介して接続しており、前記駆動回路基板は液晶表示パネルに固定され、別途液晶表示装置に組み込む制御回路基板と接続する構成としている。 尚、電源を供給する回路と制御回路とが同一の基板によって構成された液晶表示装置もある。
【０００４】
前述の保持部材の構造に関して詳述すれば、特開２００６−３１７８６５号に係る「表示装置の製造方法及び面状部材」がある。この構造によれば、液晶セルを保持する前面側保持部材（保持部材）は四角形の枠体で構成されて液晶セルの損傷を防止することが出来るが、四角形の枠体で構成している前面側保持部材は、平板を打抜き・成形加工される為に中央部の材料が無駄に成り、ひいてはコスト高の原因と成る。
【０００５】
又、特開２００６−３５０２１８号に係る「液晶モジュール」は、矩形枠形のベゼル（保持部材）を２つの部材に分割して製作時の材料ロスを抑えると共に、２つの部材を枠フレームにビス止めする作業を行うことによってそれら２つの部材が矩形枠形に形成されてベゼルが構成されている。
そこで、液晶パネル（液晶セル）と、矩形枠形のベゼル（液晶セル用保持部材）と、枠フレームと、バックライト用の線状光源（発光部品）と、反射部材と、背面板とを備える。ベゼルをＬ字形の２つの部材に分割し、それぞれの部材の各分割端に、互いに重ね合わされてビス止め片を形成する突片が備わっている。ビス止め片を枠フレームに止めビスでビス止めすることによって２つの部材が矩形に枠組みされて枠形矩形のベゼルを形成している。
すなわち、枠状ベゼルを２分割したＬ型形態であるが、成形する金型は複雑で大型化し、しかもサイズが大きくなると輸送時や組付け時に曲がって変形することが多い。
【０００６】
又、特開２００６−２８５１６１号に係る「バックライトモジュールに使用されるフレーム構造」によれば、構成している中間保持部材（光学シート用保持部材）は四角形の枠体と成っていて、背面部材に載置された光学シートの縁を保持し、液晶セルは該中間保持部材の上に周囲縁を載せて前面側保持部材（液晶セル用保持部材）によって押えられる。従って、前述の構造と同様にコストは高騰すると共に成形金型は大きくなる。
【特許文献１】特開２００６−３１７８６５号に係る「表示装置の製造方法及び面状部材」
【特許文献２】特開２００６−３５０２１８号に係る「液晶モジュール」
【特許文献３】特開２００６−２８５１６１号に係る「バックライトモジュールに使用されるフレーム構造」
【発明の開示】
【発明が解決しようとする課題】
【０００７】
このように従来の液晶表示パネルを構成する構造は製作コスト、組立ての利便性を考慮して色々あるが、基本構造は液晶セルの背後には発光部品が配置され、発光部品から発する光は液晶セルに照射され、しかも、この光が外に漏れない構造とされている。本発明が解決しようとする課題は、製作が簡単で低コストとなる液晶表示パネルであると共に、発光部品の光が外に漏れない構造とした液晶表示パネルを提供する。 
【課題を解決するための手段】
【０００８】
本発明に係る液晶表示パネルは、発光部品の後方に背面部材を配置し、又、該発光部品の両側に側面部材を配置して、前記背面部材と側面部材とにより外形部品を構成し、前記外形部品の内面側に発光部品を配設すると共に、前記発光部品の前面側には、少なくとも光学シートと、映像を表示する液晶セルと、を組付ける構造としている。背面部材は側面部材を取り付ける辺と異なる二辺の縁部を延出した断面視略台形形状とし、前記側面部材は前記背面部材の断面形状に合わせた形状としている。
【０００９】
ところで、本発明に係る液晶表示パネルは内部の光学部品から発する光が外に漏れない構造としており、次の点に特徴を備えている。
(１)液晶セルを駆動して映像を表示する駆動回路基板の取付け構造。
背面部材の一部を絞り加工して盛上げた載置部を一体化して成形し、この載置部に駆動回路基板が載置される。そして、駆動回路基板を位置決めする為の凸部を載置部の載置面に設け、該凸部が駆動回路基板に形成した穴に嵌ると共に駆動回路基板はネジ止めされる。
（２)側面部材の外壁の両端部には遮光リブ(延出部)を延出しており、この延出部には背面部材の側板縁が当接する。
(３)側面部材のコーナー部内縁(載置部内辺)は背面部材の下縁内辺より外側と成っている。
(４)発光部品の両端には弾性緩衝部材を取着し、側面部材の内壁と外壁との間には弾性緩衝部材が嵌る取着部を有し、そして外壁には弾性緩衝部材が突出出来る凹溝と成っていて、弾性緩衝部材は取着部に移動可能な状態で嵌る。
又は、内壁と外壁との間に弾性緩衝部材より大きな幅を有す取着部を形成し、該取着部に弾性緩衝部材を遊嵌して移動可能に取付けることもある。
(５) 背面部材の背板左右両端には該背板に対して垂直に屈曲した保護片を有し、この保護片は上記発光部品の両端を保持する弾性緩衝部材が嵌る凹溝を閉塞している。
(６) そして上記弾性緩衝部材には突片を突出し、該突片は側面部材の仕切りリブに設けた溝に遊嵌している。又、弾性緩衝部材は側面部材が背面部材に組み付けられることで一部が潰される。
(７) 側面部材には位置決め突起を突出し、該位置決め突起は背面部材に設けた位置決め穴に嵌る。ここで、Ｕ字形発光部品は仕切りリブにて囲まれ、上記位置決め突起は隣り合うＵ字形発光部品の仕切りリブの間に設けられている。
【発明の効果】
【００１０】
液晶表示パネルは数多くの部品で組立てられた構造であり、各部品間に生じる隙間から光が外に漏れないように工夫されている。
(１)本発明では、背面部材の一部を絞り加工して盛上げた載置部を一体化して成形し、この載置部に駆動回路基板が載置され、そして駆動回路基板を位置決めする為の凸部を載置部の載置面に設け、該凸部は駆動回路基板に形成した穴に嵌ると共に駆動回路基板はネジ止めされる。このように、載置部は絞り加工されることで、この載置部から発光部品の光が漏れることはなく、又載置部は一定高さを有すことで、載置される駆動回路基板は背面部材との間に絶縁シートを貼る必要はない。
(２)側面部材の外壁の両端部には延出部を設けており、この延出部が背面部材の側板縁が当接することで、側板縁と外壁との間から光が漏れることはなくなる。
(３)側面部材の載置部内辺は背面部材の下縁内辺より外側(下側)と成っていることで、画面コーナーでの輝度ムラが解消される。すなわち、背面部材は鉄板である為に光が当って反射することはないが、側面部材は白色の樹脂を成形したものである為に光が当ると反射して視認し易く、画面の縁近傍に反射面があることでムラに見えてしまう。
しかし、本発明では側面部材の載置部内辺を背面部材の下縁内辺より外側へ後退させているため、光の反射によるムラが画面コーナーに現れるのを抑えることが出来る。
(４)発光部品の両端には弾性緩衝部材を取着し、側面部材の内壁と外壁との間には上記弾性緩衝部材が嵌る取着部を有し、そして外壁には弾性緩衝部材が突出出来る凹溝と成っていて、弾性緩衝部材は取着部に移動可能な状態で嵌る。従って、発光部品に接続されるワイヤーのハンダ付け位置がバラ付いた場合、又発光部品及び弾性緩衝部材の寸法にバラ付きがある場合でも、外壁を貫通した凹溝とすることで長手方向の自由度が確保され、細長い発光部品が湾曲することはない。
一方、内壁と外壁との間に弾性緩衝部材より大きな幅を有す取着部を形成し、該取着部に弾性緩衝部材を遊嵌して取付ける場合も同じく、発光部品の湾曲が防止される。
(５)背面部材の左右両端には背板に対して垂直に屈曲した保護片を有し、この保護片は上記発光部品の両端を保持する弾性緩衝部材が嵌る凹溝を閉塞している。従って、保護片は発光部品とワイヤーとのハンダ付け部からのノイズを遮断し、又弾性緩衝部材と凹溝との隙間から外へ漏れる光を遮光することが出来る。
(６)そして上記弾性緩衝部材には突片を突出し、該突片は側面部材に設けた溝に遊嵌している。又、弾性緩衝部材は側面部材が背面部材に組み付けられることで一部が潰される。従って、細長い発光部品は湾曲することなく、しかもスピーカ音と共振して振動することもなく、安定して取付けられる。
(７)側面部材には位置決め突起を突出し、該位置決め突起は背面部材に設けた位置決め穴に嵌る。ここで、Ｕ字形発光部品は仕切りリブにて囲まれ、上記位置決め突起は隣り合うＵ字形発光部品の仕切りリブの間に設けられることで、該Ｕ字部にて発光する光が位置決め突起が嵌る背面部材の位置決め穴から漏れないようになる。
【発明を実施するための最良の形態】
【００１１】
以下、本発明を実施するための最良の形態としての実施例を図１〜２６により以下に説明する。勿論、本発明はその発明の趣旨に反しない範囲で、実施例において説明した以外の構成のものに対しても容易に適用可能なことは説明を要するまでもない。
【００１２】
図１は本実施例における液晶表示装置の正面側斜視図を表している。液晶表示装置はスタンド４を有して起立し、表示部１は前面側筐体２、背面側筐体３、液晶表示パネル１５、及びその他の部品で構成している。表示部１の具体的な構造は色々あるが、本発明では上記背面側筐体３に液晶表示パネル１５を含む各種内部構成部品を設置して組付け、最後に前面側筐体２を取付ける構造としている。逆に、前面側筐体２に液晶表示パネル１５を含む各種内部構成部品を設置して組付け、最後に背面側筐体３を取付ける構造であっても、本発明の趣旨に反するものではない。
【００１３】
図２は表示部１を構成する本発明に係る液晶表示パネル１５の分解斜視図であり、同図の５は背面部材、６は前記背面部材５の内面側に配置する反射部材、７は発光部品、８は側面部材、９は光学シートの構成部材である拡散板、１０は同じく光学シートの構成部材である拡散シート、１１は中間保持部材、１２は液晶セル、１３は前面側保持部材、１４は前記背面部材５、側面部材８、及び中間保持部材１１の前記液晶セル１２を載置する面に取付けるラバー材を各々表している。尚、同図に示す実施例では、上記拡散板９及び拡散シート１０で光学シートを構成しているが、該光学シートの構成を光を拡散する機能を持つ拡散板９と光の拡散と光の集光機能を備えた拡散シート１０の２部品構成に限定するものではない。該光学シートを上記２枚（拡散板９、及び拡散シート１０）で構成しているが、１枚のシートで構成する場合や、逆に３枚以上で構成する場合もある。
【００１４】
液晶表示装置は、上記背面側筐体３に各種基板、スピーカなどの内部構成部品を順次取付け、最後に図２に示す各部品を組立てて構成される液晶表示パネル１５が載置される。その為に、背面側筐体３に取付けられる電源供給用回路基板(図示なし)から延出する線材付きコネクタを処理するに際して、上記側面部材８を利用し、該側面部材８に設けたコネクタ保持部１６に発光部品７側のコネクタ１７を嵌めて取付け、このコネクタ１７に電源供給用回路基板からの線材付きコネクタを接続することで組立ての作業性向上を図っている。
【００１５】
すなわち、背面側筐体３に液晶表示パネル１５を設置すれば、電源供給用回路基板から延出する線材付きコネクタを引き出して発光部品７と接続処理することは容易でないが、側面部材８にコネクタ１７を取付けることで電源供給用回路基板との接続作業を容易ならしむことが可能となる。
【００１６】
上記背面部材５は背板１８の両側（上下）に上側板１９ａと下側板１９ｂを有し、上・下側板１９ａ，１９ｂは先端側が開く方向に傾斜している。すなわち、断面視略台形形状と成っている。そして、下側板１９ｂの縁２０ｂは断面略コ字形状とし、上記拡散板９及び拡散シート１０の下端が嵌って止着される。一方の上側板１９ａの縁２０ａは平坦な受け面と成っていて、上記拡散板９及び拡散シート１０の上端が載置される。
【００１７】
反射部材６は薄いシートで構成されて背面部材５より一回り小さい相似形断面を有し、背板２１の両側には上側板２２ａと下側板２２ｂを有している。従って、背板２１は背板１８に重なり、上側板２２ａは上側板１９ａに重なり、下側板２２ｂは下側板１９ｂに重なって積層される。そして、反射部材６の両端開口には概略台形の側面部材８，８が設置され、側面部材８，８には細い蛍光管で構成している複数本の発光部品７，７・・が取付けられ、発光部品７，７・・の一方端側から延びる線材２３，２３・・が接続しているコネクタ１７，１７・・は側面部材８に形成したコネクタ保持部１６，１６・・に嵌って取付けられる。尚、反射部材６は発光部品７，７・・より照射される光の輝度を向上するために使用しているが、例えば、背面部材５を輝度の向上が可能な色で形成したり、或いは前記背面部材５の内面側を反射し易い色で直接塗布することによって、前記反射部材６を省くことも出来る。
【００１８】
拡散板９と拡散シート１０は重ね合わされて載置されるが、これら拡散板９と拡散シート１０の下端は前述の通り背面部材５の下側板１９ｂの略コ字形状断面の縁２０ｂに挿入され、上縁は上側板１９ａの縁２０ａの平坦受け部に載置される。又、前記拡散板９及び拡散シート１０の両側端は側面部材８，８の上面に載ると共に、前記拡散板９及び拡散シート１０の側端には突起２４，２４を突出して形成していて、この突起２４，２４は側面部材８，８に設けた凹溝に嵌って止着される。
【００１９】
さらに、拡散板９及び拡散シート１０の上端に形成している突起２５，２５・・は上側板１９ａの縁２０ａに設けている溝に嵌って止着される。このように、背面部材５の縁２０ａ，２０ｂ、及び側面部材８，８の上面に載った上記拡散板９及び拡散シート１０の上端部には中間保持部材１１が取付けられ、前記側面部材８，８、前記下側板１９ｂの縁２０ｂ、及び前記中間保持部材１１には細いラバー材１４，１４・・が設けられる。そして、この上に液晶セル１２が積層され、前面側保持部材１３が取り付けられる。
【００２０】
前面側保持部材１３は上保持部材１３ａ、下保持部材１３ｂ、左保持部材１３ｃ、右保持部材１３ｄの４本の保持部材から成り、上下保持部材１３ａ，１３ｂは共通形状とし、左右保持部材１３ｃ，１３ｄも共通形状としている。
そして、図３に示すように、左右保持部材１３ｃ，１３ｄを側面部材８，８に載せて仮止めすることが出来、この仮止めによって上記液晶セル１２は外形部品に対して外れないように仮固定される。
【００２１】
すなわち、左右保持部材１３ｃ，１３ｄはＬ形断面を成し、縦片２６と上片２7を有し、縦片２６を側面部材８に仮止めすることで上片２７によって液晶セル１２の両側端が押さえられる。図３における(ａ)は右保持部材１３ｄが側面部材８に仮止めされる状態であり、(ｂ)は背面部材５の両端に設けているネジ止め部２８を示し、(ｃ)は右保持部材１３ｄを側面部材８に取付けて仮止めしている状態の先端部を表している。同図に示すように、右保持部材１３ｄの先端には固定部２９が設けられ、この固定部２９は背面部材５のネジ止め部２８に合わさってネジ止めされる。しかし、右保持部材１３ｄ単独でネジ止めするのではなく、下保持部材１３ｂと共にネジ止めされる。
【００２２】
図４は液晶表示パネル１５の裏面を表しているが、液晶セル１２には駆動回路基板３４が接続されている。そして、この駆動回路基板３４は背面部材５の上側板１９ａにネジ止めされ、このネジ止め作業に際して液晶表示パネル１５を起立したり、裏返ししても、液晶セル１２は左右保持部材１３ｃ，１３ｄにて仮止めされていることで外れ落ちることはない。又、駆動回路基板３４はフレキシブルプリント配線板３５，３５・・にて液晶セル１２と接続しているが、上保持部材１３ａを取付けた状態では該フレキシブルプリント配線板３５が拘束されて、駆動回路基板３４を所定の位置にネジ止めし難くなる。その為に、左右保持部材１３ｃ，１３ｄだけで液晶セル１２が外れ落ちないように予め仮止めした状態で駆動回路基板３４を背面部材５の上側板１９ａの背面にネジ止めしている。
【００２３】
図５は液晶表示パネル１５の上下に上保持部材１３ａと下保持部材１３ｂを夫々取付ける場合を示しており、上保持部材１３ａと下保持部材１３ｂを取付けてネジ止めされる。同図（ｂ）は下保持部材１３ｂをネジ止めする場合の詳細図であり、先端に設けた穴からネジを通して右保持部材１３ｄと共に背面部材５のネジ止め部２８にネジ止めすることが出来る。すなわち、仮止め状態にある左右保持部材１３ｃ，１３ｄは上下保持部材１３ａ，１３ｂと共に背面部材５にネジ止めされる。そして、左右保持部材１３ｃ，１３ｄ及び上下保持部材１３ａ，１３ｂが取付けられた液晶表示パネル１５は図６に示すようになる。
【００２４】
ところで、図７は互いに重ね合わされた拡散板９と拡散シート１０を載置する場合を示しており、その下端は背面部材５の下側板１９ｂに形成した断面略コ字形状の縁２０ｂに嵌り、両側端に設けた突起２４，２４は側面部材８，８に形成した凹溝に嵌って位置決めされる。そして上端は上側板１９ａの縁２０ａに設けている平坦な受け部に載置される。
【００２５】
図８は拡散板９と拡散シート１０が載置された後で、中間保持部材１１を取付ける場合を示しており、該中間保持部材１１は拡散板９と拡散シート１０の上端部に取付けられる。該中間保持部材１１には複数のフック３７，３７・・が形成され、これらフック３７，３７・・は背面部材５の上側板１９ａの縁２０ａに形成している溝に嵌って係止することで取付けられる。その為に拡散板９及び拡散シート１０の上端は背面部材５の上側板縁２０ａと共に中間保持部材１１にて押さえられる。
【００２６】
図９は液晶セル１２を取付ける場合を示しているが、上記側面部材８，８、及び背面部材５の下側板１９ｂの断面略コ字形状の縁２０ｂ、それに中間保持部材１１の上面には夫々ラバー材１４，１４・・が貼着され、この状態で液晶セル１２を載置する。
【００２７】
ところで、中間保持部材１１は背面部材５の上側板縁２０ａに載った拡散板９及び拡散シート１０の上端を押え、又その端部を延出形成して側面部材８の上面に重ねて取付けられる。側面部材８は光を反射させる為に白色の樹脂にて成形したものであるが、中間保持部材１１は光の漏れを防止する為に黒色としている。
【００２８】
中間保持部材１１の両端部を側面部材８の内側面に突き合わせた状態とすれば、前記中間保持部材１１及び側面部材８間の隙間から光が漏れたり、又は液晶セル１２のコーナーに色ムラが生じる。特に、白い画面表示の際、液晶セル１２の視認範囲において黒い影となるムラが発生して品位を著しく低下させる要因となる。これを防止する為に、前記中間保持部材１１の両端部を延ばして側面部材８の上面に重ね合わせた状態としている。図１０は側面部材８の端部上面に凹部を形成し、この凹部に中間保持部材１１の端部を嵌めて重ね合わせた構造を示している。前述の構造によって、視認範囲における部品間の隙間が無くなり、光漏れや色ムラを防止することが可能となる。
【００２９】
拡散シート１０及びその下側に積層されている拡散板９を載置した背面部材５の上側板１９ａの縁２０ａに設けた溝穴に、前記中間保持部材１１のフック３７，３７・・が係止することによって、前記拡散シート１０及び拡散板９の取付けを行う。ところが、上記背面部材５の溝穴に前記中間保持部材１１のフック３７が係止した状態では、フック３７と溝穴との間に隙間が生じ、この溝穴の周囲から発光部品７，７・・の光が漏れる。
【００３０】
図１１(ａ)は従来のフック３７と溝穴との関係を示しているが、そこで、本発明では同図(ｂ)のように遮光壁３９を形成している。この遮光壁３９によって、図１２に示すように、溝穴から漏れる光は遮蔽されて、液晶表示パネル１５の背面側に光が漏れることはない。その結果、液晶セル１２と駆動回路基板３４とを接続しているフレキシブルプリント配線板３５，３５・・への光の照射を防止することが出来、電気的な誤動作を防ぐことが可能となる。
【００３１】
次に、液晶表示パネル１５を構成する各部品を以下に説明する。
図１３は背面部材５の背面側を示す斜視図であり、背面部材５は鉄板を曲げ成形したもので、背板１８とその上下には上側板１９ａと下側板１９ｂが傾斜して設けられている。そして、上側板１９ａには載置部４０ａ，４０ａ・・４０ｂ，４０ｂを外側へ突出している。これら載置部４０ａ，４０ａ・・４０ｂ，４０ｂは概略円錐形を成して上側板１９ａを絞り加工したもので、高さは約４ｍｍ以上と成っている。又、背板１８の両端には内側へ延びる保護片４１，４１が設けられている。
【００３２】
図１４(ａ)は反射部材６の正面側を、１４(ｂ)は背面部材５の正面側を夫々表しているが、背面部材５の上側に重ねられる反射部材６は光を反射させることが出来るように白色と成っている。そして、背面部材５の背板１８の内面には位置合わせ線４２ａ，４２ａ・・が四隅に形成され、上側板１９ａの左側端及び下側板１９ｂの右側端にも位置合わせ線４２ｂ，４２ｂを設けている。これに対して、反射部材６の長方形背板２１の上側に設けている上側板２２ａは左側端を突出し、下側に設けている下側板２２ｂは右側端を突出している。
【００３３】
背面部材５に対して反射部材６が重ね合わされる場合、背板２１は背板１８の四隅に形成した位置合わせ線４２ａ，４２ａ・・に合わされ、上側板２２ａの左側端は位置合わせ線４２ｂに、同じく下側板２２ｂの右側端は位置合わせ線４２ｂに合わされる。従って、薄いシートで構成している反射部材６が、光の反射機能が低い裏返し状態で重ね合わすならば、上記位置合わせ線４２ａ，４２ａ・・４２ｂ，４２ｂと一致しないように成る。従って、重ねられる反射部材６の表裏を間違えることはない。
【００３４】
図１５は側面部材８を示す斜視図であり、該側面部材８は樹脂の成形部品であり、光を反射させる為に白色と成っている。前記図２の展開図に示すように、側面部材８，８は液晶表示パネル１５の側端に配置され、外方向へ突出する突出部４３，４３を背面側筐体３の所定位置に配置する。側面部材８は間に空間を設けて内壁４４と外壁４５を有し、内壁４４の下縁４６には複数の凹溝４７，４７・・が形成され、外壁４５の下縁４６には凹溝４８，４８・・を有している。そして、内壁４４と外壁４５を繋ぐ為の仕切りリブ４９，４９・・を設けている。又、内壁４４の内側には凹溝４７，４７・・と対向する位置に仕切り５０，５０・・を設け、内壁４４との間に収容部５１，５１・・を形成している。
【００３５】
又、内壁４４に面して位置決め突起５２，５２を突出し、両端には側面部材載置部５３，５３を設けている。この側面部材載置部５３，５３は背面部材５の上側板１９ａ及び下側板１９ｂの両端に設けている載置部受け５４，５４・・に載って載置される。
【００３６】
図１６は両側面部材８，８間に複数本の発光部品７，７・・が取付けられた場合であり、細長い発光部品７，７・・の両端には弾性緩衝部材５５，５５・・が取付けられ、該弾性緩衝部材５５，５５・・を介して側面部材８，８に保持されている。この状態で反射部材６を重ね合わせた背面部材５に配置されて、側面部材載置部５３，５３・・は背面部材５の載置部受け５４，５４・・に載置される。このように、上記載置部受け５４，５４・・を設けていることで、側面部材載置部５３，５３・・の位置決め配置が容易に行われ、発光部品７，７・・を取付けた側面部材８，８の組付け作業が容易になる。
【００３７】
図１７、図１８は弾性緩衝部材５５が側面部材８に取付けられている場合であり、該弾性緩衝部材５５は内壁４４に形成した凹溝４７と外壁４５に形成した凹溝４８に嵌って取付けられている。両側には溝５６，５６が形成され、この溝５６には仕切りリブ４９から突出している突片５７が嵌っている。ただし、突片５７の幅に比べて溝５６の幅は大きく、その為に弾性緩衝部材５５は発光部品７の長手方向へ僅かな移動を可能としている。
【００３８】
細長い発光部品７，７・・の両端に取付けられる弾性緩衝部材５５，５５・・は常に定位置になるとは限らない。すなわち、発光部品７，７・・に接続される線材２３，２３・・のハンダ付け位置がバラ付いたり、又発光部品７，７・・及び弾性緩衝部材５５，５５・・の寸法にバラ付きが生じる。そこで、外壁４５を貫通した凹溝４８として弾性緩衝部材５５が嵌ることで、長手方向の自由度が確保され、その結果、細長い発光部品７が湾曲することはない。
【００３９】
図１９は電源供給側の側面部材８を表している場合であるが、この側面部材８は弾性緩衝部材５５，５５・・を介して発光部品７，７・・を保持している。ところで、この側面部材８の外側にはコネクタ保持部１６，１６・・が設けられ、このコネクタ保持部１６，１６・・にはコネクタ１７，１７・・が保持されている。そして、各コネクタ１７，１７・・から延びる線材２３，２３・・は発光部品７，７・・と接続している。
【００４０】
図２０は電源供給側の側面部材８に取付けられている弾性緩衝部材５５の詳細図であり、仕切りリブ４９に設けている溝６４には突片６５が遊嵌し、多少の隙間を残している為に、長手方向に移動することが出来る。弾性緩衝部材５５が移動することで、細長い発光部品７は撓むことなくストレートに配列して取付けられる。
【００４１】
発光部品７，７・・が側面部材８，８に取付けられ、前記図１６の状態で背面部材５に配置されるが、図２１はこの状態での背面側の一部を表している。背面部材５の背板１８には発光部品７，７・・と接続する線材２３，２３が存在することで切欠き穴５８，５８・・が電源供給側には設けられているが、弾性緩衝部材５５，５５を押圧している。従って、スピーカなどの音響と共振することはなく、しかし突片６５，６５は押圧しないように避けている。
【００４２】
そして、側面部材８に設けている位置決め突起５２は背板１８に貫通して設けた位置決め穴に嵌っている。この場合、位置決め穴と位置決め突起５２との隙間から光が漏れないように、該位置決め突起５２は発光部品７，７が配置される空間を仕切る仕切りリブ４９，４９の外側に位置している。又、側面部材８の外壁４５の傾斜部５９には延出部６０を設け、内壁側の傾斜部より僅かに高く成っている。ところで、該延出部６０には背面部材５の上側板１９ａと下側板１９ｂの先端が当接し、発光部品７の光が内部から漏れることを防止している。すなわち、発光部品７，７・・の光は内壁４４にて遮光されるが、上下側板１９ａ，１９ｂとの僅かな隙間から漏れる光はこの延出部６０にて完全に遮光される。
【００４３】
図２２はＵ字形の発光部品７が側面部材８に取付けられている場合であり、Ｕ字形の発光部品７にはリング状の弾性緩衝部材６１，６１が取付けられて、この弾性緩衝部材６１，６１は側面部材８に設けている収容部５１，５１に嵌っている。このＵ形発光部品７は側面部材８に収まっている部分でも発光する為に、仕切りリブ４９，４９にてこの部分の光が漏れないように遮光している。従って、位置決め突起５２と位置決め穴の隙間から光が漏れることはない。
【００４４】
図２３は液晶表示パネル１５の背面側一部を示しているが、背面部材５の背板１８には保護片４１が設けられ、側面部材８の一部を被覆して側面部材８と背板１８との隙間、及び弾性緩衝部材５５が嵌る凹溝４８をカバーしている。従って、発光部品７の光が側面部材８と背板１８との隙間、及び凹溝４８と弾性緩衝部材５５との隙間から外へ漏れることはない。一方、該金属製の保護片４１は発光部品７のハンダ付け部より発生するノイズを遮蔽する効果もある。又、側面部材８の外壁傾斜部５９には延出部６０が設けられ、上側板１９ａ及び下側板１９ｂの外表面より僅かに突出していることで、この部分の隙間から光が外へ漏れないように成っている。
【００４５】
図２４は背面部材５の上側板１９ａの一部詳細図であり、上側板１９ａには載置部４０ａ，４０ａ・・、４０ｂ，４０ｂが外表面に突出している。これら各載置部４０ａ，４０ａ・・、４０ｂ，４０ｂは絞り加工されていて、打抜き加工されたものではない為に、載置部面に穴は存在しない。従って、この載置部４０ａ，４０ａ・・、４０ｂ，４０ｂから内部の光が漏れることはなく、又これら載置部は約４ｍｍ以上の高さと成っていて、載置部４０ａ，４０ａ・・の頂点にはネジ穴が設けられ、一方の載置部４０ｂ，４０ｂにはネジ穴と凸部を形成している。
【００４６】
図２５はこれら載置部４０ａ，４０ａ・・、４０ｂ，４０ｂに駆動回路基板３４が取付けられている場合である。該駆動回路基板３４は上記載置部４０ａ，４０ａ・・、４０ｂ，４０ｂに載ると共に凸部が嵌って位置決めされ、そしてネジ止めされる。駆動回路基板３４は液晶セル１２とフレキシブルプリント配線板３５を介して接続しているが、該駆動回路基板３４を上側板１９ａの載置部４０ａ，４０ａ・・、４０ｂ，４０ｂに載せて固定する場合、液晶表示パネル１５を裏返し状態としたり、起立状態とすることが出来る。液晶セル１２は左右保持部材１３ｃ，１３ｄによって仮止めされていることで、背面部材５から外れ落ちることはない。
【００４７】
そして、液晶セル１２と駆動回路基板３４とを接続しているフレキシブルプリント配線板３５に光が当ることはなく、照射される光による駆動回路基板３４の誤動作を防止することが出来る。一方、上記駆動回路基板３４を取付けるために傾斜した上側板１９ａが必ずしも必要ではないが、背面部材５に傾斜した上側板１９ａ及び下側板１９ｂを設けて駆動回路基板３４を取付けることで、液晶表示パネル１５における奥行き方向が薄型化され、及び駆動回路基板３４と接続されるフレキシブルプリント配線板３５の長さが短縮できることによる線材の煩雑さの解消が可能となる。
【００４８】
図２６は液晶表示パネル１５の下側コーナー部を示す詳細図である。該コーナー部は側面部材８と背面部材５の下側板１９ｂの縁２０ｂが交差している箇所であり、側面部材８に設けた側面部材載置部５３は載置部受け５４に載置される。ここで、側面部材載置部５３の内辺６２と縁２０ｂの内辺６３との間には段差Ａを有している。すなわち、側面部材載置部内辺６２は外側(下側)に位置している。
【００４９】
側面部材８は光を反射する為に白色の樹脂製であるのに対して、鉄板を成形した背面部材５との間には光が当った際の輝度に違いがある。その為に、段差Ａを設けることなく、両内辺６２，６３を同一線上に位置させるならば、液晶表示パネル１５のコーナー部が白っぽい影となって表面化する。本発明はこのような現象を防止する為に、両辺６２，６３との間に同図に示す段差Ａを設けている。
【図面の簡単な説明】
【００５０】
【図１】本実施例における液晶表示装置の外観を示す斜視図。
【図２】液晶表示装置を構成する液晶表示パネルの分解斜視図。
【図３】右ベセルの取付け工程図。
【図４】左右ベセルを仮止めして液晶表示パネルを起立させた状態を示す背面側斜視図。
【図５】（ａ）は上下ベセルを取付ける前の状態を示す斜視図、（ｂ）は下ベセルをネジ止めする前の状態を示す部分拡大斜視図。
【図６】上下ベセルが取付けられた液晶表示パネルの外観斜視図。
【図７】拡散板及び拡散シートを取付ける場合を示す斜視図。
【図８】中間保持部材を取付ける場合を示す斜視図。
【図９】液晶セルを取付ける場合を示す斜視図。
【図１０】中間保持部材の端部が側面部材上面に重なっている場合を示す斜視図。
【図１１】（ａ）は従来の中間保持部材に形成するフック３７と背面部材の取付け面との部分拡大斜視図、（ｂ）は本実施例における中間保持部材の背面側に形成した遮光壁を示す部分拡大斜視図。
【図１２】（ａ）は本実施例における中間保持部材が取付けられた状態を示す部分拡大断面斜視図、（ｂ）は中間保持部材と光学シートとの取付け状態を示す背面側部分拡大斜視図。
【図１３】背面部材の背面側斜視図。
【図１４】(ａ)は反射部材を示す斜視図、(ｂ)は背面部材を示す斜視図。
【図１５】側面部材の具体例を示す斜視図。
【図１６】両側面部材に複数本の発光部品を取付けた状態を示す背面側斜視図。
【図１７】側面部材への発光部品の取付け構造を示す部分拡大斜視図。
【図１８】側面部材への発光部品の取付け構造を示す部分拡大斜視図。
【図１９】コネクタを設けて発光部品と接続される電源供給側の側面部材を示す斜視図。
【図２０】電源供給側の側面部材に弾性緩衝部材を介して発光部品を取付けた場合の詳細図。
【図２１】液晶表示パネルの背面側部分詳細図。
【図２２】側面部材にＵ字形発光部品を取付けた構造を示す部分詳細図。
【図２３】液晶表示パネルの背面側部分詳細図。
【図２４】側面部材の上側板に設けている載置部を示す部分詳細図。
【図２５】駆動回路基板を取付けた液晶表示パネルの背面側部分詳細図。
【図２６】液晶表示パネルのコーナー部を示す部分詳細図。
【符号の説明】
【００５１】
１  表示部 
２  前面側筺体 
３  背面側筺体 
４  スタンド 
５  背面部材
６  反射部材 
７  発光部品
８  側面部材
９  拡散板
10  拡散シート
11  中間保持部材
12  液晶セル
13  前面側保持部材
14  ラバー材
15  液晶表示パネル
16  コネクタ保持部
17  コネクタ
18  背板
19  側板
20  縁
21  背板
22  側板
23  線材
40  載置部
41  保護片
52  位置決め突起
53  側面部材載置部
55  弾性緩衝部材
57  突片
60  延出部
62  内辺
63  内辺
【要約】
【課題】  発光部品と、反射部材と共に配置する背面部材、側面部材とにより構成する外形部品と、外形部品の前面側に、光学シートと、映像を表示する液晶セルと、を主要構成部品として順次組み合わせて成る液晶表示パネルであって、発光部品の光が外に漏れない構造とした液晶表示パネルの提供。
【解決手段】  液晶セル１２を駆動して映像を表示するための駆動回路基板３４はフレキシブルプリント配線板３５を介して液晶セル１２と接続し、背面部材５には駆動回路基板３４を載置して固定するための載置部４０ａ，４０ａ・・４０ｂ，４０ｂを絞り加工により一体に成形し、背面部材５の背板側端には保護片４１，４１を設け、側面部材の外壁両端部には内壁より突出した延出部６０，６０を設けている。
【選択図】    図２【図１】
0004212062.tif 000002
【図２】
0004212062.tif 000003
【図３】
0004212062.tif 000004
【図４】
0004212062.tif 000005
【図５】
0004212062.tif 000006
【図６】
0004212062.tif 000007
【図７】
0004212062.tif 000008
【図８】
0004212062.tif 000009
【図９】
0004212062.tif 000010
【図１０】
0004212062.tif 000011
【図１１】
0004212062.tif 000012
【図１２】
0004212062.tif 000013
【図１３】
0004212062.tif 000014
【図１４】
0004212062.tif 000015
【図１５】
0004212062.tif 000016
【図１６】
0004212062.tif 000017
【図１７】
0004212062.tif 000018
【図１８】
0004212062.tif 000019
【図１９】
0004212062.tif 000020
【図２０】
0004212062.tif 000021
【図２１】
0004212062.tif 000022
【図２２】
0004212062.tif 000023
【図２３】
0004212062.tif 000024
【図２４】
0004212062.tif 000025
【図２５】
0004212062.tif 000026
【図２６】
0004212062.tif 000027